(57)【要約】      （修正有）【課題】製造コストが安く、しかも放熱性にも優れた放熱構造体を提供する。【解決手段】互いに平行している前面と後面を有している底板３０と、底板３０の周縁と一体的に連続するように囲んでいる環状周壁２０とを有するように一体に作成された放熱構造体であって、環状周壁２０は、底板３０の周縁と連続し、且つ前面が向かっている方向へ延伸している第１の環状部と、第１の環状部が延伸する先端から横断面開口が張り出しになってから更に延伸するように形成されている第２の環状部とを有している。【選択図】図３
0003170276.tif 000002
【実用新案登録請求の範囲】
【請求項１】
互いに平行している前面と後面を有している底板と、
前記底板の周縁と一体的に連続するように囲んでいる環状周壁とを有するように一体に作成された放熱構造体であって、
前記環状周壁は、前記底板の周縁と連続し、且つ前記前面が向かっている方向へ延伸している第１の環状部と、前記第１の環状部が延伸する先端から横断面開口が張り出しになってから更に延伸するように形成されている第２の環状部とを有していることを特徴とする放熱構造体。
【請求項２】
前記第１の環状部は、前記前面側において前記第２の環状部の内壁面と直交している前端面と、前記底板の前記後面と平行且つ連続している後端面とを有していることを特徴とする請求項１に記載の放熱構造体。
【請求項３】
前記環状周壁に、前記前面側から前記後面側へ延伸して前記第２の環状部と前記第１の環状部とを連続的に貫通している複数の通孔が形成されていることを特徴とする請求項１または請求項２に記載の放熱構造体。
【請求項４】
前記底板には、該底板の肉厚を貫通したスルーホールが少なくとも一つ設けられていることを特徴とする請求項１から請求項３のいずれか１項に記載の放熱構造体。
【考案の詳細な説明】
【技術分野】
【０００１】
本考案は、放熱構造体に関し、特に、照明灯具などの発熱体に適用される放熱構造体に関する。
【背景技術】
【０００２】
図１及び図２では、従来の照明灯具（図示せず）に使用されている放熱構造体の一例が示されている。図示のように、該放熱構造体は底板１と、放熱台２とからなっている。放熱台２は、ほぼ環状であって、底板１の内面となる面１０の周縁に沿うように該面１０から立設されている。また、底板１は、取付け板１１の一面に、中央あたりに通孔がある環状の放熱基板１２が敷設されてなるものであり、環状の放熱基板１２と取付け板１１により、底板１の前記面１０の中央あたりに、照明灯具の回路基板を保持するための窪み１２０が形成されている。
【０００３】
このような従来の放熱構造体は、照明灯具の点灯による発熱を、照明灯具の回路基板から順に、取付け板１１、放熱基板１２、そして放熱台２を経て、外部へ有効に放熱することができるが、取付け板１１と、放熱基板１２と、放熱台２との実質的に分かれた三つの部品から構成されているので、製造工程が煩雑である上、組合わせ工程も必要であり、コストの面からみれば理想的とは言えない。
【０００４】
また、このような従来の放熱構造体は、取付け板１１と放熱基板１２との間、及び、放熱基板１２と放熱台２との間には、それぞれ当接界面があり、余計な伝熱抵抗が起こるので、放熱効率の面からみても理想とは言えない。
【考案の概要】
【考案が解決しようとする課題】
【０００５】
そこで、本考案は、前記問題点に鑑みてなされたものであり、即ち、一体成形の採用によって、製造工程の簡易化が達成し、全体の構成においても当接界面が存在しない放熱構造体の提供を目的とする。
【課題を解決するための手段】
【０００６】
本考案は、互いに平行している前面と後面を有している底板と、前記底板の周縁と一体的に連続するように囲んでいる環状周壁とを有するように一体に作成された放熱構造体であって、前記環状周壁は、前記底板の周縁と連続し、且つ前記前面が向かっている方向へ延伸している第１の環状部と、前記第１の環状部が延伸する先端から横断面開口が張り出しになってから更に延伸するように形成されている第２の環状部とを有していることを特徴とする放熱構造体を提供する。
【０００７】
前記放熱構造体において、前記第１の環状部は、前記前面側において前記第２の環状部の内壁面と直交している前端面と、前記底板の前記後面と平行且つ連続している後端面とを有していることが好ましい。
【０００８】
前記放熱構造体において、前記環状周壁に、前記前面側から前記後面側へ延伸して前記第２の環状部と前記第１の環状部とを連続的に貫通している複数の通孔が形成されていることが好ましい。
【０００９】
前記放熱構造体において、前記底板には、該底板の肉厚を貫通したスルーホールが少なくとも一つ設けられていることが好ましい。
【考案の効果】
【００１０】
上記構成による本考案の放熱構造体は、まず、一体的に成形され得るので、製造工程が簡易であり、組合わせ工程も必要でなく、そして、その全体の構成において当接界面が存在しないので、余計な伝熱抵抗が起こらず、放熱効率が従来のものよりかなり良い。
【図面の簡単な説明】
【００１１】
【図１】従来の放熱構造体の分解斜視図である。
【図２】従来の放熱構造体の断面構成図である。
【図３】本考案の放熱構造体の斜視図である。
【図４】本考案の放熱構造体の断面構成図である。
【考案を実施するための形態】
【００１２】
以下、図３及び図４をもって本考案の実施例を詳しく説明する。ただし、図面に示されているこの実施例は、本考案の放熱構造体を実施する１つの例として挙げられるものであり、本考案が該実施例に限定されるものではない。
【００１３】
本実施例の放熱構造体は、一体成形法、例えばアルミニウム押出成形法によって作製されたものである。図３は、本実施例の斜視図であり、図４は、本実施例の断面構成図である。図３及び図４に示すように、この放熱構造体は、互いに平行している前面３０１と後面３０２を有している底板３０と、底板３０の周縁と一体的に連続するように囲んでいる環状周壁２０とを有するように一体に作成されている。
【００１４】
図示のように、底板３０にはその肉厚を貫通したスルーホール３１が複数設けられている。該スルーホール３１は、この放熱構造体に照明灯具などが取り付けられるときに必要な配線孔や通気孔などとして機能することができる。
【００１５】
環状周壁２０は、底板３０の周縁と連続し、且つ前面３０１が向かっている方向へ延伸している第１の環状部２１と、第１の環状部２１が延伸する先端から横断面開口が張り出しになってから更に延伸するように形成されている第２の環状部２２とを有しているものである。即ち、第１の環状部２１と第２の環状部２２とは、一体的に連続しているが、それらの内壁の間は階段状になっている。
【００１６】
もっと詳しく説明すると、図示のように、第１の環状部２１は、前面３０１側において第２の環状部２２の内壁面２２１と直交している前端面２１１と、底板３０の後面３０２と平行且つ連続している後端面２１２とを有している。本実施例の放熱構造体は、底板３０と第１の環状部２１からなる空間（前記従来例における窪み１２０に相当）で照明灯具（図示せず）の回路基板を保持し、第１の環状部２１と第２の環状部２２からなる階段で照明灯具を保持することができる。また、第１の環状部２１と第２の環状部２２からなる階段で照明灯具を保持する場合、第１の環状部２１の前端面２１１で照明灯具を後ろから支持し、第２の環状部２２の内壁面２２１で該照明灯具を側面から添えるように安定させることができる。
【００１７】
更に、図示のように、環状周壁２０に、前面３０１側から後面３０２側へ延伸して第２の環状部２２と第１の環状部２１とを連続的に貫通している複数の通孔２３が形成されている。該通孔２３は、放熱孔や通気孔などとして機能することができるので、これによって、発熱体の放熱を向上させることができる。
【００１８】
上記構成による放熱構造体は、照明灯具の点灯による発熱を、照明灯具の回路基板から順に、底板３０、環状周壁２０を経て、外部へ有効に放熱することができる。また、従来の放熱構造体と異なり、一体成形法で作製されたので、製造工程を必要最低限に抑えられることによるコストの軽減が可能になり、さらに、底板３０自体の構成また底板３０と環状周壁２０との間には、従来の放熱構造体に存在する当接界面がなくなり、余計な伝熱抵抗が起こらないので、放熱効率が一層上がる。
【産業上の利用可能性】
【００１９】
以上のように、本考案による放熱構造体は、一体的に成形され得るので、製造工程が簡易で、組合わせ工程も不要であり、製造コストが従来のものより安く、そして、その全体の構成において当接界面が存在しないので、放熱性が従来のものより良い。
【００２０】
また、本考案の放熱構造体は、上記のように、環状周壁２０における複数の通孔２３によって、放熱効果を一層向上させることができる。
【００２１】
本考案は、添付図面を参照しながら好ましい実施形態に関連して充分に記載されているが、この技術の熟練した人にとっては様々の変形又は修正は明白である。そのような変形又は修正は、添付した請求の範囲による本考案の範囲から外れない限りにおいて、その中に含まれると理解されるべきである。
【符号の説明】
【００２２】
１  底板
１０  面
１１  取付け板
１２  放熱基板
１２０  窪み
２  放熱台
２０  環状周壁
２１  第１の環状部
２１１  前端面
２１２  後端面
２２  第２の環状部
２２１  内壁面
２３  通孔
３０  底板
３０１  前面
３０２  後面
３１  スルーホール
【図１】
0003170276.tif 000003
【図２】
0003170276.tif 000004
【図３】
0003170276.tif 000005
【図４】
0003170276.tif 000006